(57)【要約】【課題】電子写真装置における画像を用紙に転写する転写装置において、転写ベルトから用紙剥離時に発生する剥離放電を防止する除電器にトナーが堆積し、トナーが用紙に付着して印刷品質の低下を起こすことを防止する。【解決手段】除電器のケースの接地された用紙通過部にリブを設けることにより、除電器のケースの用紙通過部にトナーが堆積し、そのトナーが用紙に付着するのを防止して安定した印刷品質を保つ。【選択図】  図３
2007334089.tif 000002
【特許請求の範囲】
【請求項１】
転写ベルトにより搬送される用紙に感光体トナー像を転写する転写器を有し、前記転写ベルトの用紙搬送方向における転写器下流に用紙を剥離時除電する放電ワイヤ及び接地シールドを有する除電器を設けた電子写真方式の画像形成装置において、前記除電器の用紙通過部表面にリブ状の用紙ガイドを設けたことを特徴とする画像形成装置。
【請求項２】
前記用紙ガイドが導電性材料で形成されたことを特徴とする請求項１記載の画像形成装置。
【請求項３】
前記用紙ガイドのリブは、用紙走行方向に対し５°〜３０°の傾きを設け、少なくとも用紙エッジ近傍のリブは下流方向に向かって用紙走行範囲の外側に向かって傾斜させたことを特徴とする請求項１又は２記載の画像形成装置。
【請求項４】
前記リブの先端の幅が０．３mm以下であることを特徴とする請求項１、２または３記載の画像形成装置。
【請求項５】
前記用紙ガイドは、定形サイズ用紙の用紙エッジ通過位置に掛からない位置に配置されることを特徴とする請求項１、２、３又は４記載の画像形成装置。
【発明の詳細な説明】
【技術分野】
【０００１】
本発明は、電子写真方式を用いる複写機、レーザビームプリンタ等の画像形成装置において感光体上のトナー像を用紙に転写する転写装置に関するものである。
【背景技術】
【０００２】
転写用紙の排紙搬送ローラへのトナー付着防止手段として、従来従動ローラの外周面を高離型性樹脂で覆って構成するなどの技術が提案されている（例えば、特許文献１参照）。また、トナーの付着を防止するバイアス電圧を印加するトナー付着防止電源を設ける技術が提案されている（例えば、特許文献２参照）。
【０００３】
【特許文献１】特許公開２００４−２６８２９４号公報
【特許文献２】特許公開２００４−２１１０９号公報
【発明の開示】
【発明が解決しようとする課題】
【０００４】
高圧を印加する除電器のケースには通常合成樹脂を用いるため、除電器に用紙のガイド機能を与えている場合は用紙との摩擦により帯電し易くなる。このため除電器周辺環境に浮遊飛散しているトナーが静電吸着され付着トナーが用紙を汚損する問題を生ずるが、除電器の用紙ガイド部を接地して用紙との摩擦帯電を放電することにより安定した印刷品質を保つことができる。しかし、上記の構成では、除電器周辺環境に飛散しているトナーが自然落下などにより除電器の用紙ガイド部に堆積した場合、付着トナーによる用紙汚損を回避できない。
【０００５】
また物理的接触によりトナーが付着する場合は外周面を高離型性の樹脂で覆って付着防止するが、自然落下などにより堆積する場合はトナーの付着を防止できない。またバイアス電圧印加によりトナー付着を防止する構成はトナー付着防止電源を設ける必要があり高価となる。
【０００６】
本発明の目的は、このような従来技術の欠点を解消し、簡潔な構造により安価で安定的なトナー付着防止を行う画像形成装置を提供することにある。
【課題を解決するための手段】
【０００７】
上記目的を達成するために、本発明は転写ベルトにより搬送される用紙に感光体トナー像を転写する転写器を有し、前記転写ベルトの用紙搬送方向における転写器下流に用紙を剥離時除電する放電ワイヤ及び接地シールドを有する除電器を設けた電子写真方式の画像形成装置において、前記除電器の用紙通過部表面にリブ状の用紙ガイドを設ける。また、前記用紙ガイドは導電性材料で形成される。また、前記用紙ガイドのリブは、用紙走行方向に対し５°〜３０°の傾きを持ち、少なくとも用紙エッジ近傍のリブは下流方向に向かって用紙走行範囲の外側に向かって傾斜させている。また、前記リブの先端の幅が０．３ｍｍ以下であることを特徴とする。また前記用紙ガイドは、定形サイズ用紙の用紙エッジ通過位置に掛からない位置に配置される。
【発明の効果】
【０００８】
本発明によれば、装置の構成を複雑にすることなく、容易に除電器の用紙通過部に堆積したトナーの用紙への付着を防止することができ、安定的に印刷品質を確保することができる。
【発明を実施するための最良の形態】
【０００９】
本発明は、除電器の用紙搬送面にリブを設け、リブ形状と材質を工夫することにより堆積トナーによる用紙汚損を防止する。
【実施例１】
【００１０】
本発明を電子写真法を用いるレーザビームプリンタに適用した実施例を図を用いて以下説明する。図１において、複写機、プリンタ等で用いられている−帯電有機光導電体（ＯＰＣ）を用いる場合、感光体１は帯電器２によって表面を−極性に帯電する。プリンタで一般に用いられている反転現像方式では、半導体レーザ等の光学系３によって、潜像が形成され、現像機４によって感光体１表面の電位と同極性である−極性トナー５を感光体１上に付着させる。用紙走行部材によって搬送された用紙６は、ガイド板７を経て、転写ベルト８に至る。転写ベルト８は、両端を駆動ローラ９と従動ローラ１０によって支持され、駆動ローラ９の回転によって矢印方向に回転する。転写ベルト内部に設けられた転写器１１のワイヤ１２には、高圧電源１３から高電圧が印加されるので、コロナ放電によって転写ベルト８表面にはトナーと逆極性の電荷が発生する。搬送された用紙６はこの電荷によってトナー画像を転写されると同時に転写ベルト８に吸着され搬送される。転写ベルト８によって搬送された用紙６は、駆動ローラ９に至った後、除電器１４によって除電されベルトから剥離された後、定着機１５で定着される。一方、転写後の残留した感光体１上のトナーは、プレチャージ１６、イレーズランプ１７を経てクリーナ１８で清掃される。
【００１１】
転写ベルト方式は用紙６が転写ベルト８から剥離するときに剥離放電で転写トナー５が飛び散り印刷品質を低下させるため、剥離領域に除電器１４を設けトナー５の飛び散りを防止する。除電器１４は高圧を印加するため周辺環境の飛散トナーが電気的に吸引される。
【００１２】
除電器１４に用紙ガイド機能を兼用している場合、除電器１４の合成樹脂製ケースと用紙との摩擦帯電による付着トナー５を防止するため除電器１４の用紙ガイド部を接地しているが、自然落下等により除電器１４の用紙ガイド部に堆積した堆積トナー５が用紙６に付着して印刷品質の低下を起こす。
【００１３】
図２に本発明の除電器１４の具体的構造を示す。主な構成として除電器１４は高圧を印加するコロトロンワイヤ２０、金属製のシールド板２１及び樹脂製のケース２２から構成されている。図３は用紙通過部にトナー付着防止及び堆積防止用のリブ状の導電性板金からなる用紙ガイド２３を立設する構造を示す。図４は図２のＡ方向から見た図を示す。
【００１４】
用紙ガイド２３が図４に示すように用紙走行方向に対し５°〜３０°の傾きを持つ構成とすることにより用紙特定部分へのリブ接触を分散し汚損を軽減する。少なくとも汚損し易い用紙エッジ近傍のリブは下流に行くに従って用紙走行範囲の外側に向かって傾斜する構造としており、用紙ガイド２３に微少に付着したトナーが用紙の特定部分で連続的に拭き取られ汚損されることを防ぐことができる。
【００１５】
また、リブ形状先端の幅を０．３ｍｍ以下とし、また端部曲率をＲ０．３ｍｍ以下にすることにより、用紙ガイド２３に付着する付着トナー量を実質的に用紙への影響がないレベルにまで低減することができる。
【００１６】
使用頻度の高い用紙サイズ、例えばＡ４、Ａ３、Ｂ４、Ｂ５、レター、レジャ、リーガル等の定形サイズ用紙の用紙エッジ通過部位に用紙に接触する用紙ガイドを設けないことで、付着トナーの量を低減することができる。リブ形状は一体成型でも別部材として溶接などで接合しても良い。
【００１７】
図５は用紙通過部に導電性樹脂製リブからなる用紙ガイド２４を組み合わせた構造を示す。図６は用紙通過部に絶縁性樹脂に導電性コーティングをした用紙ガイド２５の構造を示す。
【００１８】
本構造にすることにより用紙の摩擦による帯電がなくなり、除電器１４周辺に飛散したトナー５の付着を防止することと共に自然落下等による除電器の用紙通過部に堆積したトナー５の用紙への付着を防止することができ、構造も簡単であり、安価で安定的な印刷品質を確保することができる。
【図面の簡単な説明】
【００１９】
【図１】本発明の実施形態に係る画像形成装置の概略構成図である。
【図２】除電器１４の構造を示す模式図である。
【図３】用紙通過部にトナー付着防止及び堆積防止用のリブ状の導電性板金からなる用紙ガイドを立設する構造を示す模式図である。
【図４】図２のＡ方向から見た模式図である。
【図５】用紙通過部に導電性樹脂製リブからなる用紙ガイドを組み合わせた構造を示す模式図である。
【図６】用紙通過部に絶縁性樹脂に導電性コーティングをした用紙ガイドの構造を示す模式図である。
【符号の説明】
【００２０】
１…感光体、２…光学系、３…帯電器、４…現像機、５…トナー、６…用紙、７…ガイド板、８…転写ベルト、９…駆動ローラ、１０…従動ローラ、１１…転写器、１２…ワイヤ、１３…高圧電源、１４…除電器、１５…定着機、１６…プレチャージ、１７…イレーズランプ、１８…クリーナ、２０…コロトロンワイヤ、２１…シールド板、２２…ケース、２３…用紙ガイド、２４…用紙ガイド、２５…用紙ガイド
【図１】
2007334089.tif 000003
【図２】
2007334089.tif 000004
【図３】
2007334089.tif 000005
【図４】
2007334089.tif 000006
【図５】
2007334089.tif 000007
【図６】
2007334089.tif 000008